(57)【要約】【課題】本発明は建築用設備配管が配設されている床スラブに、高さ調整用の支持ボルトにてユニットルームを設置する際、建築用設備配管と高さ調整用の支持ボルトが干渉しユニットルームの設置が困難な場合であっても、容易にユニットバスルームを設置可能にするユニットルーム設置用部材を提供する。【解決手段】本発明のユニットルーム設置用部材の発明によれば、床スラブ上に配設されている配管と、支持ボルトが干渉する際に用いるものであって、設置用部材は、内部に配管を通す挿通部と床スラブ面に設置し、且つ、接着可能な接着辺を備えるとともに、挿通部より上方に支持ボルトを載置可能な載置部とを備えたことを特徴としたので、建築用設備配管と高さ調整用の支持ボルトが干渉しユニットルームの設置が困難な場合であっても、ユニットルーム設置用部材を設置することで、支持ボルト設置し、高さ調整を行いユニットルームの設置ができる。【選択図】図１
2005281986.tif 000002
【特許請求の範囲】
【請求項１】
床裏面に、またはフレームを介して複数の高さ調整用の支持ボルトを備えるユニットルームを床スラブ上に設置する際に用いる設置用部材であって、前記設置用部材は、前記床スラブ上に配設されている配管と、前記支持ボルトが干渉する際に用いるものであって、前記設置用部材は、内部に配管を通す挿通部と前記床スラブ面に設置し、且つ、接着可能な接着辺を備えるとともに、前記挿通部より上方に前記支持ボルトを載置可能な載置部とを備えたことを特徴とするユニットルーム設置用部材。
【請求項２】
床スラブ上に配設されていると配管の上方にユニットルームを設置する場合であって、前記配管と前記ユニットルームの高さ調整支持ボルトとの間に、前記配管と、前記支持ボルトが干渉する際に、内部に配管を通す挿通部と前記挿通部より上方に前記支持ボルトを載置可能な載置部とを備えたユニットルーム設置用部材を介してユニットルームを前記床スラブ上に設置し固定することを特徴とするユニットルームの設置方法。
【発明の詳細な説明】
【技術分野】
【０００１】
本発明は、ユニットバスなどのユニットルームにおける床の設置用部材及びその設置方法に関する。
【背景技術】
【０００２】
従来、図4のようにユニットルームは複数の高さ調整用の支持ボルト１０１を備え、その支持ボルト１０１を回すことで建物の床スラブ１０４面に高さ調整をされて設置されるように構成されている。また、この支持ボルト１０１は床パン１０２あるいは支持フレームに固着されている為、改修工事するときに改修工事前の建築用設備配管１０３が支持ボルト１０１と干渉し、建築用設備配管１０３を再施工するか、または特許文献1のように支持ボルトの支持面形状を変えたもの、特許文献2の支持ボルトを移動させるものが開示されている。
【０００３】
【特許文献１】特開平１１―２４７２５３号公報
【０００４】
【特許文献２】特開平１１−２４７４７３号公報
【発明の開示】
【発明が解決しようとする課題】
【０００５】
しかしながら、上記従来の技術においては、支持ボルト１０１の脚部構造を配管を跨ぐ形状にしても支持ボルト１０１に固着されているため、建築用設備配管１０３の不特定な位置に対応することは出来ない場合がある。また位置を移動させて建築用設備配管１０３を避けて設置しても、配管と支持ボルト１０１の位置により高さ調整の作業が出来ないという問題がある。
【０００６】
本発明は上記課題を解決するためになされたもので、建築用設備配管が配設されている床スラブに、高さ調整用の支持ボルトにてユニットルームを設置する際、建築用設備配管と高さ調整用の支持ボルトが干渉しユニットルームの設置が困難な場合であっても、容易にユニットバスルームを設置可能にするユニットルーム設置用部材及びユニットルーム設置方法を提供することにある。
【課題を解決するための手段】
【０００７】
本発明のユニットルーム設置用部材の発明は、床裏面に、またはフレームを介して複数の高さ調整用の支持ボルトを備えるユニットルームを床スラブ上に設置する際に用いる設置用部材であって、設置用部材は、床スラブ上に配設されている配管と、支持ボルトが干渉する際に用いるものであって、設置用部材は、内部に配管を通す挿通部と床スラブ面に設置し、且つ、接着可能な接着辺を備えるとともに、挿通部より上方に支持ボルトを載置可能な載置部とを備えるものである。
【０００８】
また請求項2記載のユニットルームの設置方法は、床スラブ上に配設されていると配管の上方にユニットルームを設置する場合であって、配管とユニットルームの高さ調整支持ボルトとの間に、配管と支持ボルトが干渉する際に、内部に配管を通す挿通部と挿通部より上方に支持ボルトを載置可能な載置部とを備えたユニットルーム設置用部材を介してユニットルームを床スラブ上に設置し固定することを特徴としたものである。
【発明の効果】
【０００９】
本発明のユニットルームにおける床の設置用部材によれば、建築用設備配管と高さ調整用の支持ボルトが干渉しユニットルームの設置が困難な場合であっても、ユニットルーム設置用部材を設置することで、支持ボルト設置し、高さ調整を行いユニットルームの設置ができる。
また本発明のユニットルームにおける床の設置方法によれば、建築用設備配管を再施工する必要がなくなるため、施工負荷を大幅に軽減することができる。
【発明を実施するための最良の形態】
【００１０】
本発明の実施の形態を図1〜４基づいて以下に説明する。
図1は本発明の実施形態のユニットルーム設置用部材及び設置方法を示す斜視図である。また、図2、3は本発明における他の実施例を示す斜視図である。 図4は、従来ユニットルームの設置の要部を示す斜視図である。
【００１１】
図1に図示するユニットルーム設置用部材1は、内部に配管を通す挿通部1ｃ、支持ボルト2を載置可能な載置部１ａ、床スラブ面7に設置し、接着可能な接着辺1ｂを備える。
【００１２】
ユニットルームは床パン5上に壁材及び天井材を組み合わせて形成され、このユニットルームの床パン5は、支持部材4に支持され、支持部材4は支持ボルト2の支持され床に設置される。
【００１３】
ユニットルーム設置用部材1は、ユニットルームの床パン5を設置する際、建築用設備配管6と高さ調整用の支持ボルト2が干渉した際に、ユニットルームの床パン5の支持ボルト2が建築用設備配管6と当る位置に、ユニットルーム設置用部材1の配管挿通部1ｃを建築用設備配管６に合わせ、接着辺1ｂを床スラブ7に接着剤等を用いて固定する。
【００１４】
ユニットルームの床パン5の高さ調整用の支持ボルト2は、ユニットルーム設置用部材１の載置部１ａに設置させ、高さ調整した後に接着剤等を用いて固定する。
【００１５】
図2、3、は本発明にかかる他の実施例を示す。図2の接着辺１ｂには、固定の方法により孔等の加工を加えてもよい。また、建築用設備配管６がユニットルーム設置用部材１に触れて音が発生することを考慮して内側に緩衝材1ｄを貼ってもよい。接着辺１ｂは接着する際に必要な辺部を備えているものであって、図2のように接着辺１ｂにビス等で固定する孔や、図3のような2方向から建築用設備配管６を挿通できるようした際、接着辺１ｂ側を利用しない場合は、ボルト止めが可能な開口として利用しても良い。
【００１６】
図3は、図1におけるユニットルーム設置用部材１の接着辺側方向にも建築用設備配管６を通す挿通部1ｃを設けてなることを特徴としており、本発明の請求項1、及び請求項2におけるいずれのユニットルーム設置用部材１に適用可能である。このような形状とすることで、ユニットルーム設置用部材１を設置する際の方向性を無くし、また建築用設備配管のＬ字に曲がった部分と干渉した場合にも対応ができる。
【図面の簡単な説明】
【００１７】
【図１】本発明の実施形態のユニットルーム設置用部材及び設置方法を示す斜視図である。
【図２】本発明の実施形態の同上と異なるユニットルーム設置部材を示す斜視図である。
【図３】本発明の実施形態の同上と異なるユニットルーム設置部材を示す斜視図である。
【図４】従来ユニットルームの設置の要部を示す斜視図である。
【符号の説明】
【００１８】
1…ユニットルーム設置部材
1ａ…載置部
1ｂ…設着辺
1ｃ…配管挿通部
1ｄ…緩衝材
2…支持ボルト
3…ナット
4…支持部材
5…床パン
6…建築用設備配管
7…床スラブ
【図１】
2005281986.tif 000003
【図２】
2005281986.tif 000004
【図３】
2005281986.tif 000005
【図４】
2005281986.tif 000006